(57)【要約】【課題】画面両側に亘るように可動役物を大型化させながらも、該可動役物の重心位置の設定等で円滑な回動動作と回動後の安定保持とを実現できるようにした遊技機を提供する。【解決手段】本パチンコ機では、可動役物に備えた長尺支持部材９３が、先端部Ｔを張り出す張出し部９３ｅと、重り部とを有し、先端部Ｔの重量、重り部の重量、先端部Ｔと回動中心である回転軸９６，９８との距離、及び、重り部と回転軸９６，９８との距離が、所定の関係に設定されている。このため、可動役物が、第１位置と第２位置の中間点を僅かに越えると、反対側の位置に容易に回動してその位置に安定するように機能させ得るので、画面両側に亘るように可動役物を大型化させながらも、円滑な回動動作と回動後の安定保持とを実現できる。【選択図】図８
2008200217.tif 000002
【特許請求の範囲】
【請求項１】
遊技領域に、画像表示装置の画面を開口部から露出させた状態で配置されたセンター役物を備え、該センター役物に、前記画面に対して接近する第１位置と離反する第２位置とに回動自在な可動役物を有してなる遊技機において、
前記可動役物は、
前記センター役物における前記開口部の上縁部にて該開口部の左右幅方向両側に亘るように延在しその両端部が回動自在に支持された長尺支持部材と、
該長尺支持部材を、前記両端部にある回動中心を中心に回動させる駆動手段と、を有し、
前記長尺支持部材は、
長手方向と交差する方向に延びて回動中心から比較的離れた位置に先端部を張り出す張出し部と、
前記回動中心の前記張出し部と略々反対側に設けられて、前記可動役物の重心を前記回動中心の略々反対側に比較的近く位置させる重り部と、を有する、
ことを特徴とする遊技機。
【請求項２】
前記重り部は、前記第２位置への回動時に前記センター役物前側に向く前記可動役物の面を飾る装飾部材、該装飾部材を前記可動役物内部側から照明する発光体を実装した基板、及び前記長尺支持部材のアーム部のうちの少なくとも１つである、
請求項１記載の遊技機。
【発明の詳細な説明】
【技術分野】
【０００１】
本発明は、パチンコ機等の遊技機に係り、詳しくは画面に対する第１位置と第２位置とに切換え自在な可動役物をセンター役物に備えた遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
上記のようなパチンコ機にあっては、遊技盤の遊技領域に、画像表示装置（演出表示装置）の画面を露出させた状態で配置されたセンター飾りを備えると共に、所定の契機で画像表示装置の画面に対して接近し離反する可動役物を備えたものが知られている（特許文献１参照）。
【０００５】
すなわち、当該パチンコ機は、遊技の進行に合わせて演出画像を表示する画像表示装置と、該画像表示装置に対して接近・離反する可動役物と、該可動役物の動作を制御する可動役物制御手段と、を備えている。そして、該可動役物制御手段が、演出画像による演出の展開が変わるタイミングで可動役物を画像表示装置に対して移動させ、表示制御手段が、可動役物の画像表示装置に対する移動に合わせて、展開の変化が視覚的に判別されるように画像表示装置に演出画像を表示させるように構成される。
【０００６】
【特許文献１】特開２００６−２８８４４０号公報
【発明の開示】
【発明が解決しようとする課題】
【０００７】
しかし、上記特許文献１に記載されるパチンコ機にあっては、画像表示装置に対する接近・離反動作によって臨場感を醸し出し、遊技者に高揚感を与えることは可能であるものの、可動役物が画像表示装置の画面上部の隅部に対して進退動作するように構成され、該可動役物のサイズが画面に比して大分小さく形成されることから、可動役物の動作そのものにおいては演出時の迫力に欠ける虞もあった。
【０００８】
そこで、可動役物を画面上部の両側に亘って配置できるほどに大きく形成して、動作時の迫力を増大させるような構成が本発明者によって考えられている。しかし、そのようにする場合、画像表示装置の画面が大サイズ化される昨今の状況下にあっては、大サイズ画面の両側に亘る可動役物はかなり大サイズ化することが考えられる。
【０００９】
このような大型の可動役物を用いる場合、円滑に動作させながらも装置構造の大型化を回避するには、モータ等の駆動系を可能な限り小さくしなければならない。従って、サイズが比較的小さく、それに伴いトルクも比較的小さいモータを使用する場合であっても、比較的大型の可動役物を円滑に動作させ得ると共に、ストッパ等を特に設けなくても動作後の位置に安定して保持し得る構造の実現が切望される。
【００１０】
そこで本発明は、画像表示装置の画面両側に亘るように可動役物を大型化させながらも、該可動役物の重心位置の設定等によって円滑な回動動作と回動後の安定保持とを実現し得るように構成し、もって上述した課題を解決した遊技機を提供することを目的とするものである。
【課題を解決するための手段】
【００１１】
請求項１に係る本発明は（例えば図１ないし図１１参照）、遊技領域（３ａ）に、画像表示装置（３５）の画面（３５ａ）を開口部（３６）から露出させた状態で配置されたセンター役物（２３）を備え、該センター役物（２３）に、前記画面（３５ａ）に対して接近する第１位置（例えば、図５に示す位置、及び図１０の実線位置）と離反する第２位置（例えば、図４に示す位置、及び図１０の二点鎖線位置）とに回動自在な可動役物（３３）を有してなる遊技機（１）において、
前記可動役物（３３）は、
前記センター役物（２３）における前記開口部（３６）の上縁部にて該開口部（３６）の左右幅方向両側に亘るように延在しその両端部が回動自在に支持された長尺支持部材（９３）と、
該長尺支持部材（９３）を、前記両端部にある回動中心（９６，９８）を中心に回動させる駆動手段（７７）と、を有し、
前記長尺支持部材（９３）は、
長手方向と交差する方向に延びて回動中心（９６，９８）から比較的離れた位置に先端部（Ｔ）を張り出す張出し部（９３ｅ）と、
前記回動中心（９６，９８）の前記張出し部（９３ｅ）と略々反対側に設けられて、前記可動役物（３３）の重心を前記回動中心（９６，９８）の略々反対側に比較的近く位置させる重り部（Ｗ）と、を有する、
ことを特徴とする遊技機（１）にある。
【００１２】
請求項２に係る本発明は（例えば図７ないし図１０参照）、前記重り部（Ｗ）が、前記第２位置への回動時に前記センター役物前側に向く前記可動役物（３３）の面を飾る装飾部材（３３ａ）、該装飾部材（３３ａ）を前記可動役物（３３）内部側から照明する発光体を実装した基板（１０５）、及び前記長尺支持部材（９３）のアーム部（９３ａ，９３ｂ）のうちの少なくとも１つである、
請求項１記載の遊技機（１）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、長尺支持部材が、長手方向と交差する方向に延びて回動中心から比較的離れた位置に先端部を張り出す張出し部と、回動中心の張出し部と略々反対側に設けられて、可動役物の重心を回動中心の略々反対側に比較的近く位置させる重り部とを有している。このため、例えば第１位置にある可動役物が駆動手段からの駆動力を受けて第２位置に向けて回動し、第１位置と第２位置との中間点を第２位置側に僅かに回動すると、張出し部の先端部の重量（質量）と、張出し部の先端部と回動中心との距離とによる一方向の回転モーメントが、重り部の重量（質量）と、重り部と回動中心との距離とによる他方向の回転モーメントに打ち勝ち、駆動手段からそれほど大きな駆動力を受けなくても第２位置側に回動し、該第２位置に安定する。逆に、第２位置にある可動役物が駆動手段からの駆動力を受けて他方向に回動して、中間点を第２位置側に僅かに移動すると、他方向の回転モーメントが一方向の回転モーメントに打ち勝ち、駆動手段からそれほど大きな駆動力を受けなくても第２位置側に回動して、該第２位置に安定する。このように、可動役物を、中間点を僅かに反対側に越えると反対の位置に容易に回動しその位置に安定するという、言わば「不完全な起き上がりこぼし」として機能させることができるので、画像表示装置の画面両側に亘るように可動役物を大型化させながらも、円滑な回動動作と回動後の安定保持とを実現することができる。
【００１５】
請求項２に係る本発明によると、重り部が、装飾部材、発光体が実装された基板、及びアーム部のうちの少なくとも１つであるので、可動役物への搭載が実際に必要な部材を用いて重り部とすることができ、従って、重り部として特別な部材を別途設けることを不要にし、部品点数を削減し、装置構成を簡略化することができる。
【発明を実施するための最良の形態】
【００１６】
以下、本発明に係る遊技機の実施形態として、遊技場等に設置されるパチンコ機を図面に沿って説明する。なお、後述する各実施の形態では、本発明の遊技機を所謂１種１種のパチンコ機として述べるが、本発明はこれに限らず、他の種別のパチンコ機にも適用可能であることは勿論である。なお、図１は、本発明の実施形態におけるパチンコ機１の外部構造を示す正面図である。
【００１７】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１８】
図１に示すように、本実施形態におけるパチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上部中央には演出用照明装置８が配設されている。そして、前扉７における遊技盤３の左右上方及び左右下方にはスピーカー（図示せず）を有する放音装置１２がそれぞれ配設されている。また、ガラス枠１０における右側部には、前扉７を筐体６側に施錠し解放するための施錠装置１３が配設されている。なお、筐体６及び前扉７等から遊技機本体が構成されている。
【００１９】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２０】
また、皿ユニット１６の右部には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００２１】
遊技領域３ａの中央部には、該遊技領域３ａに打ち出された遊技球の一部を導入してステージＳに案内する遊技球案内路３９，４４を有するセンター飾り（センター役物）２３が配設されている。このセンター飾り２３の中央部分には開口部３６が形成されている。遊技盤３には画像表示装置３５が、開口部３６から画面を露出させた状態で遊技盤裏面から装着されている。センター飾り２３の下部左右には、大当たり抽選に寄与しない一般の入賞が行われる一般入賞口２５ａ，２５ｂ，２６ａ，２６ｂが配設されており、センター飾り２３の下方には、第１及び第２始動チャッカー２７，２８と、アタッカー５とが順次配設されている。
【００２２】
第１及び第２始動チャッカー２７，２８は、大当たり抽選実行の契機となり得る入賞が行われるものであり、第２始動チャッカー２８は、始動チャッカー開閉ソレノイド７０（図１３参照）によって開放位置と閉止位置とに開閉動作するように作動させられる。第１始動チャッカー２７の直上方には、所謂命釘としての一対の障害釘３０が打ち込まれている。第２始動チャッカー２８は、直上方に配置された第１始動チャッカー２７の底部により、図１に示す閉塞状態では遊技球を入賞しないように構成されている。
【００２３】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２４】
遊技領域３ａには、センター飾り２３の四方に風車３１が配設されており、ステージＳの下方における第１及び第２始動チャッカー２７，２８の左側には、普通図柄作動ゲート（スルーゲート）３２が配設されている。この普通図柄作動ゲート３２は、第２始動チャッカー２８を開閉動作させるための抽選の契機となる遊技球通過が行われる役物である。
【００２５】
そして、遊技領域３ａにおける普通図柄作動ゲート３２、一般入賞口２５ａ，２５ｂ，２６ａ，２６ｂ、第１及び第２始動チャッカー２７，２８等の周囲には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７ａ，３７ｂの周囲及びその上方側にも、遊技球を適宜散らし、或いは入球に導くようにするための多数の障害釘が打ち込まれている。このような本パチンコ機１では、遊技領域３ａに打ち出された遊技球を第１及び第２始動チャッカー２７，２８等に、ステージＳを介して入球させ又はステージＳを介さず直接入球させ得るように遊技が進められる。
【００２６】
なお、本実施形態における「ワープ導入」という語句は、遊技領域３ａに打ち出された遊技球を、当該遊技領域３ａの比較的下側に位置する不図示の道釘等を経ることなく、第１始動チャッカー２７の上に導くことを意味する概念である。また、上記「道釘」とは、遊技領域３ａにおいて第１始動チャッカー２７左右に打ち込まれた複数本の障害釘（図示せず）の列を意味するもので、上方から転動落下してきた遊技球を第１及び第２始動チャッカー２７，２８方向に導く役割を担っている。
【００２７】
次に、本パチンコ機１におけるセンター飾り２３の構造を、図２、図３及び図１１を参照して詳細に説明する。なお、図２はセンター飾り２３を右斜め上方から見下ろす状態で示す斜視図、図３はセンター飾り２３を左斜め上方から見下ろす状態で示す斜視図、図１１はセンター飾り２３の全体を示す側面図である。
【００２８】
すなわち、図２、図３及び図１１に示すように、センター飾り２３は、前後方向にて互いに結合されて組み立てられる前枠体２３ａ及び後枠体２３ｂを備えている。これら枠体２３ａ，２３ｂは、互いに結合された状態で開口部３６を形成する。前枠体２３ａの周囲には、その複数箇所から外方に張り出すようにブラケット部４が形成されており、各ブラケット部４には、後枠体２３ｂを遊技盤３の裏面に配置した状態でネジ止めするための孔が形成されている。
【００２９】
センター飾り２３は、開口部３６の左右に形成されたワープ導入口３７ａ，３７ｂと、開口部３６の上側に配置された可動役物３３と、開口部３６の下側に設けられたステージＳと、下部中央に設けられた球放出部４９と、を有している。この球放出部４９は、第１始動チャッカー２７の直上方に位置して、放出されて落下する遊技球が一対の障害釘３０（図１参照）の間を通って第１始動チャッカー２７にほぼ確実に（つまり、９７〜９９％の高確率で）入賞し得るように位置決め形成されている。
【００３０】
センター飾り２３は、開口部３６の左方に位置する上記ワープ導入口３７ａから導入される遊技球をステージＳに案内する遊技球案内路３９と、遊技球を該遊技球案内路３９からステージＳに放出する放出口３９ａと、を有している。また、センター飾り２３は、開口部３６の右方に位置する上記ワープ導入口３７ｂから導入される遊技球をステージＳに案内する遊技球案内路４４と、遊技球を該遊技球案内路４４からステージＳに放出する放出口４４ａと、を有している。
【００３１】
ステージＳは、円筒状の飾り部５０を中央部に有しており、該飾り部５０の下部中央には、傾斜部５７ｂを介して落下してくる遊技球を球放出部４９に導く落下案内孔５０ａを有している。放出口３９ａと傾斜部５７ｂとの間には、放出口３９ａから放出された遊技球をステージ中央に案内する案内部５５ａが形成されており、放出口４４ａと傾斜部５７ｂとの間には、放出口４４ａから放出された遊技球をステージ中央に案内する案内部５５ｂが形成されている。なお、上記傾斜部５７ｂは、放出口３９ａや放出口４４ａから放出されて案内部５５ａや案内部５５ｂを案内されてきた遊技球、或いは、センター飾り２３下方の道釘（図示せず）等で弾かれて跳び込んできた遊技球を、その勢い（慣性力等）が弱まった時点で落下案内孔５０ａ側に落下させ得るように、緩く傾斜している。
【００３２】
また、案内部５５ａと傾斜部５７ｂとの間、及び案内部５５ｂと傾斜部５７ｂとの間には、放出口３９ａ，４４ａから放出されて案内部５５ａ，５５ｂを案内されてきた遊技球、或いは跳び込んできた遊技球を、その勢いが弱まった時点で遊技領域下方に落下させ得るように、上記傾斜部５７ｂと逆の方向に緩く傾斜する傾斜部５７ａ，５７ｃが形成されている。
【００３３】
更に、案内部５５ａ，５５ｂの手前側（即ち、パチンコ機１に対面して着座する遊技者側）には、転動する遊技球を遊技領域３ａに落下させないようにする前壁部５６ａ，５６ｃが設けられており、傾斜部５７ｂの手前側には、転動する遊技球を遊技領域３ａに落下させないようにする前壁部５６ｂが設けられている。また、案内部５５ａ，５５ｂにおける放出口３９ａ，４４ａ側には、放出された遊技球を当接させて、その勢い及び進路を変える複数個の凸部４２が互い違い（ジグザグ）に形成されている。ステージＳは、案内部５５ａ，５５ｂからステージ中央部に向かって下降するように全体的に傾斜している。
【００３４】
画像表示装置３５の画面を露出する開口部３６の下縁部には、道釘等で弾かれて画面側に跳び込んできた遊技球をステージＳ側に落下させる傾斜面５８が設けられている。この傾斜面５８の中央部には、上方に僅かに盛り上がる膨出部５８ａが形成されている。飾り部５０は、上部に湾曲面５０ｂを有し、該湾曲面５０ｂの左右に袖部５０ｃ，５０ｄを有している。更に、袖部５０ｃ，５０ｄの左右には、これら袖部５０ｃ，５０ｄや傾斜面５８から落下してくる遊技球をステージＳ側に落下させるように緩く傾斜する傾斜面５０ｅ，５０ｆが設けられている。
【００３５】
なお、図３における符号５９は、傾斜面５０ｅ，５０ｆの下方の空間部に進入した遊技球を主に傾斜部５７ａ，５７ｃ側に転がり移動させるように傾斜する傾斜面を示している。また、図１１における符号６２は前枠体２３ａの背面側に配置された照明基板、符号６３は該照明基板に実装された発光ダイオード（ＬＥＤ）、符号５９は後枠体２３ｂの上部後方に突出するように形成された可動役物３３の収容部、符号９６は可動役物３３を回動自在に支持する回動軸、符号９７は該回動軸９６に支持された回動ギヤをそれぞれ示している。
【００３６】
次に、可動役物３３の構造について、図４ないし図９を参照して詳細に説明する。なお、図４はセンター飾りの待機状態を示す正面図、図５はセンター飾りの演出状態を示す正面図、図６はセンター飾りから取り外した可動役物の待機面を示す正面図、図７はセンター飾りから取り外した可動役物の演出面（装飾部材３３ｂ）を示す正面図、図８は装飾部材３３ｂを取り外した状態で示す可動役物３３の斜視図、図９は可動役物３３を逆の方向から見た状態で示す斜視図である。
【００３７】
可動役物３３は、図４に示すように、センター飾り２３の開口部３６の上縁部に配置され、画像表示装置３５の画面３５ａ（図１参照）から離反して該画面３５ａの全体を開放する第２位置（図４に示す位置）と、画面３５ａに向かって回動し接近して該画面３５ａの上縁部を所定寸法だけ遮蔽する第１位置（図５に示す位置）とに移動自在となるように支持されている。
【００３８】
上記可動役物３３は、演出制御手段９１により、遊技上の演出（即ち図１３に示す第１抽選手段８３、第２抽選手段８４による大当たり抽選の結果に応じた演出）に対応して、上記第２位置と上記第１位置とに切り換わるように制御される。そして、可動役物３３は、第２位置に移動した際に待機状態になり、第１位置に移動した際に演出状態になる。なお、符号３３ａは、可動役物３３の待機面となる装飾部材であり、符号３３ｂは、演出状態で遊技者側に向く可動役物３３の演出面となる装飾部材である。
【００３９】
可動役物３３は、上記のような切換え動作を行い得るように、次のように支持されている。すなわち、図６ないし図９に示すように、可動役物３３は、支持機構で支持されて画面３５ａに対する第１位置と第２位置とに切換え自在に構成されており、センター飾り２３における開口部３６の上縁部にて該開口部３６の左右幅方向の両側に亘るように延在しその両端部が回動自在に支持された長尺支持部材９３を有している。
【００４０】
長尺支持部材９３は、一定の重量を有する金属材料からなり、その延在の方向（図５の左右方向、つまり長手方向）と交差する方向に延びて回転軸（回動中心）９６，９８から比較的離れた位置に先端部Ｔを張り出す張出し部９３ｅを有している。更に、長尺支持部材９３は、回転軸９６，９８の張出し部９３ｅと略々反対側に設けられて、可動役物３３の重心を回転軸９６，９８の略々反対側に比較的近く位置させる重り部Ｗ（図１０参照）と、可動役物３３の下縁部７３に近い位置から左右に突出する突出アーム部（アーム部）９３ａ，９３ｂと、を有している。これら突出アーム部９３ａ，９３ｂは、それぞれ張出し部９３ｅと同方向にＬ字状に折曲された折曲部９３ｃ，９３ｄを端部に有している。上記張出し部９３ｅは、長尺支持部材９３の長手方向中央部に設けられて、可動役物３３の前面を飾る装飾部材３３ｂを装着固定する装着部としても構成される。
【００４１】
上記重り部Ｗは、第２位置に回動した際の可動役物３３のセンター飾り２３の前側に向く面を飾る装飾部材３３ａ、該装飾部材３３ａを可動役物３３の内部側から照明する不図示のＬＥＤ（発光体）が実装された照明基板（基板）１０５、及び長尺支持部材９３の突出アーム部９３ａ，９３ｂから構成されている。上記照明基板１０５は、図８及び図９に示すように、突出アーム部９３ａ，９３ｂの中央に位置して張出し部９３ｅを支える平板部９３ｇの下部側に固定され、同図の下方側に上記不図示のＬＥＤが実装されている。照明基板１０５の同図上面には、当該ＬＥＤなどに電源を供給するためのコネクタ１００が接続・固定されている。
【００４２】
上記支持機構は、開口部３６の上縁部における一側（左側）と他側（右側）に固定された状態にて長尺支持部材９３の両端部をそれぞれ回動自在に支持する一対の回動支持部７５，７６を有している。
【００４３】
上記回動支持部７５は、開口部３６の上縁部と平行な方向を向いた回転軸７７ａを有する駆動モータ（駆動手段）７７と、該駆動モータ７７に隣接して配置されて従動ギヤ９７の回転軸９６を回転自在に支持するギヤ支持部９５と、を有している。駆動モータ７７の回転軸７７ａには主動ギヤ６４が固定されており、該主動ギヤ６４は従動ギヤ９７に噛合している。回転軸７７ａ、主動ギヤ６４、従動ギヤ９７の一部は、カバー７８によって覆われている。上記突出アーム部９３ａの折曲部９３ｃは、回転軸９６が嵌挿される形で該回転軸９６に支持され、かつ該回転軸９６に固定されている従動ギヤ９７の一側面（図７における左側面）にネジ止めされている。つまり、折曲部９３ｃには、主動ギヤ６４に噛合する従動ギヤ９７が固定されている。
【００４４】
上記回動支持部７６は、回動軸９８を回転自在に支持する支持部８５と、上側に位置決め固定されたフォトインタラプタ７９と、該フォトインタラプタ７９を覆うカバー９９と、を有している。上記突出アーム部９３ｂの折曲部９３ｄは、回動軸９８が嵌挿される形で該回動軸９８に支持され、かつ該回動軸９８に固定されている支持板７４の一側面（図７における右側面）にネジ止めされている。つまり、折曲部９３ｄには、フォトインタラプタ７９の投光素子７９ａ及び受光素子７９ｂ間を長尺支持部材９３の回動角度に応じて遮蔽する第１及び第２遮蔽板部７４ａ，７４ｂが設けられている。
【００４５】
支持板７４は、図７の紙面手前側に突出する上記第１遮蔽板部７４ａと、図７の上側に突出する上記第２遮蔽板部７４ｂとを有しており、図６に示す第２位置にあっては第１遮蔽板部７４ａでフォトインタラプタ７９の投光素子７９ａと受光素子７９ｂの間を遮って該第２位置にある旨の信号を生成して演出制御手段９１（図１３参照）に出力し、図７に示す第１位置にあっては第２遮蔽板部７４ｂでフォトインタラプタ７９の投光素子７９ａと受光素子７９ｂの間を遮って該第１位置にある旨の信号を生成して演出制御手段９１に出力する。そして、可動役物３３を駆動する駆動モータ７７、及び可動役物３３の内部に実装された発光体（ＬＥＤ等）は、上記演出制御手段９１によって駆動制御される。
【００４６】
ここで、本発明の特徴である可動役物３３の回動構造について、図１０を参照して説明する。なお、図１０は、可動役物３３全体の状態を概念的に表した模式図である。
【００４７】
すなわち、本実施形態では、上述したように、長尺支持部材９３が、先端部Ｔを張り出す張出し部９３ｅと、重り部Ｗとを有しており、張出し部９３ｅの先端部Ｔの重量（質量）ｍ、重り部Ｗの重量（質量）Ｍ、先端部Ｔと回動中心である回転軸９６，９８との距離ｌ、及び、重り部Ｗと回転軸９６，９８との距離Ｌが、以下のように設定されている。
【００４８】
つまり、第１位置（図１０の実線位置）にある可動役物３３が駆動モータ７７からのトルク（駆動力）を受けて同図時計回り方向に回動して、第１位置と第２位置との中間点ａを第２位置（図１０の二点鎖線位置）側に僅かに移動すると、先端部Ｔの重量ｍと、先端部Ｔと回動中心（９６，９８）との距離ｌとによる時計回り方向の回転モーメント（ｍ×ｌ［ｇ・ｃｍ］）が、重り部Ｗの重量Ｍと、重り部Ｗと回転軸９６，９８との距離Ｌとによる反時計回り方向の回転モーメント（Ｍ×Ｌ［ｇ・ｃｍ］）に打ち勝ち、駆動モータ７７からのトルクがそれほど大きくなくても第２位置側に回動し、該第２位置に安定するように設定されている。
【００４９】
また、第２位置にある可動役物３３が駆動モータ７７からのトルクを受けて反時計回り方向に回動し、中間点ａを第１位置側に僅かに移動すると、張出し部９３ｅの先端部Ｔの重量ｍと、張出し部９３ｅの先端部Ｔと回転中心（９６，９８）との距離ｌとによる反時計回り方向の回転モーメント（ｍ×ｌ［ｇ・ｃｍ］）が、重り部Ｗの重量Ｍと、重り部Ｗと回転軸９６，９８との距離Ｌとによる時計回り方向の回転モーメント（Ｍ×Ｌ［ｇ・ｃｍ］）に打ち勝ち、駆動モータ７７からのトルクがそれほど大きくなくても第１位置側に回動し、該第１位置に安定するように設定されている。
【００５０】
このように、本実施形態では、可動役物３３を、中間点ａを僅かに越えると、反対側の位置に容易に回動してその位置に安定するという、言わば「不完全な起き上がりこぼし」として機能させることができる。これにより、画像表示装置３５の画面３５ａ両側に亘るように可動役物３３を大型化させながらも、ストッパ等を特に設けることなく、円滑な回動動作と回動後の安定保持とを実現する構造が得られている。
【００５１】
また、重り部Ｗが、第２位置に回動した際の可動役物３３のセンター飾り２３の前側に向く面を飾る装飾部材３３ａ、該装飾部材３３ａを可動役物３３の内部側から照明するＬＥＤが実装された照明基板１０５、及び長尺支持部材９３の突出アーム部９３ａ，９３ｂからなるので、可動役物３３への搭載が実際に必要な部材を用いて重り部Ｗとすることができる。このため、重り部Ｗとして特別な部材を別途設けることが不要となり、部品点数を削減し、装置構成を簡略化することができる。なお、重り部Ｗは、装飾部材３３ａ、照明基板１０５及び突出アーム部９３ａ，９３ｂの全てではなく、これらのうちの少なくとも１つによっても構成することができる。その場合、装飾部材３３ａ、照明基板１０５、突出アーム部９３ａ，９３ｂのうちの、使用する部材の重量を、上記の設定を満足するような材質から選択する等の処置が必要となる。
【００５２】
ついで、本パチンコ機１の背面構造について図１２を参照して説明する。同図は、本パチンコ機１の背面構造を示す背面図である。
【００５３】
すなわち、図１２に示すように、パチンコ機１の前扉背面における上部左方には、賞球タンク４３が取り付けられており、この賞球タンク４３の下方に、副制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００５４】
次に、本実施形態におけるパチンコ機１の制御系を図１３に沿って説明する。なお、同図は本パチンコ機の制御系を示すブロック図である。
【００５５】
すなわち、本制御系は、遊技制御装置８０と、該遊技制御装置８０に電気的に接続された、始動チャッカー開閉ソレノイド７０、アタッカー開閉ソレノイド７１、放音装置１２、演出用照明装置８，１１、及び画像表示装置３５と、を備えている。
【００５６】
遊技制御装置８０は、図１２に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００５７】
遊技制御装置８０は、入賞判定手段８１、入賞信号出力手段８２、第１抽選手段８３、第２抽選手段８４、普通図柄抽選手段９４、遊技制御手段８６、保留手段８７、作動制御手段８８、作動判定手段８９、作動決定手段９０、演出制御手段９１、及び表示制御手段９２を備えている。
【００５８】
入賞判定手段８１は、発射ハンドル２の操作で作動する発射装置（図示せず）によって遊技領域３ａに打ち出された遊技球が第１及び第２始動チャッカー２７，２８、一般入賞口２５ａ，２５ｂ，２６ａ，２６ｂ、アタッカー５等の何れかに入賞したとき、当該入賞があった旨を判定する。
【００５９】
入賞信号出力手段８２は、入賞判定手段８１によって入賞が判定されたとき、対応する第１及び第２始動チャッカー２７，２８、一般入賞口２５ａ，２５ｂ，２６ａ，２６ｂ、アタッカー５等に入賞した旨の入賞信号を出力する。
【００６０】
第１抽選手段８３及び第２抽選手段８４は、それぞれ、入賞信号出力手段８２からの第１及び第２始動チャッカー２７，２８に対応する入賞信号の入力時、合計の最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００６１】
そして第１及び第２抽選手段８３，８４は、それぞれ、大当たり抽選で確変当たりに当選した場合、不図示の演出用メモリに格納された演出乱数値に基づく抽選で、変動の結果、確変当たりに対応する「１１１」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００６２】
また第１及び第２抽選手段８３，８４は、それぞれ、大当たり抽選で通常当たりが当選した場合に、演出乱数値に基づく抽選で、変動の結果、通常当たりに対応する「２２２」等の図柄が大当たり有効ライン上で最終的に揃う旨の変動パターンを決定し、その旨の変動パターン信号を出力する。更に第１及び第２抽選手段８３，８４は、それぞれ、大当たり抽選で外れた場合に、演出乱数値に基づく抽選で、変動の結果、外れに対応する「２５２」等の図柄が大当たり有効ライン上で最終的に揃う旨の変動パターンを決定し、その旨の変動パターン信号を出力する。
【００６３】
普通図柄抽選手段９４は、第２始動チャッカー２８を開閉動作させるための普通図柄抽選を、普通図柄作動ゲート３２への遊技球通過を契機として行う。
【００６４】
遊技制御手段８６は、放音装置１２、演出用照明装置８，１１に放音、発光の演出をさせる契機となる指令、及び、可動役物３３の回動動作と該可動役物３３に実装した発光素子の発光の演出をさせる契機となる指令を、演出制御手段９１に送る。また、遊技制御手段８６は、予め設定された演出データや、第１及び第２抽選手段８３，８４での抽選結果に応じて、画像表示装置３５に表示すべき大当たり抽選に関連する演出内容に関する信号を表示制御手段９２に送る。
【００６５】
保留手段８７は、第１、第２抽選手段８３，８４のいずれかから出力された変動パターン信号を入力し、変動パターンを、第１、第２始動チャッカー２７，２８への入賞の都度に行われた抽選の結果となる保留球として順次記憶する。当該記憶状況は、大当たり抽選保留表示装置（図示せず）に、始動チャッカー２７，２８双方での合計が最大で例えば４個の保留球となるように点灯表示される。保留手段８７は、合計の保留球数が例えば４個になっているか否かを常時判定し、保留球数が４個表示されている間は、第１、第２始動チャッカー２７，２８への入賞に拘わらず大当たり抽選は行わない。なお、保留球として点灯表示される保留球数は上記「最大４個」に限らず、例えば３個以下、又は５個以上として適宜設定することも可能である。
【００６６】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が例えば４個未満となった場合、第１、第２抽選手段８３，８４で行われる第１、第２始動チャッカー２７，２８への入賞に応答した大当たり抽選の結果を保留球として記憶し、保留球数を１インクリメントする。
【００６７】
作動制御手段８８は、作動決定手段９０の作動開始決定の旨の信号に基づき、始動チャッカー開閉ソレノイド７０に駆動信号を送って該ソレノイド７０を作動させ、第２始動チャッカー２８を開放又は閉塞動作させる。更に作動制御手段８８は、アタッカー開閉ソレノイド７１に駆動信号を送って該ソレノイド７１を作動させ、第１、第２抽選手段８３，８４での抽選による大当たり発生時にアタッカー５を開放して所定数入賞が終了する（又は所定時間が経過する）毎に閉塞する動作を所定回数（所定ラウンド）だけ繰り返すように制御する。
【００６８】
作動判定手段８９は、始動チャッカー開閉ソレノイド７０及びアタッカー開閉ソレノイド７１を作動させるための条件を満たすか否かを判定する。つまり、始動チャッカー開閉ソレノイド７０にあって、第２始動チャッカー２８の開閉の「条件を満たす」時とは、普通図柄抽選手段９４において第１及び第２抽選手段８３，８４の大当たり抽選とは別途行われる普通図柄抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時の全てのラウンドにおける入賞を完了した場合である。
【００６９】
作動決定手段９０は、作動判定手段８９からの判定信号を受けて、始動チャッカー開閉ソレノイド７０、アタッカー開閉ソレノイド７１の作動開始をそれぞれに決定する。
【００７０】
演出制御手段９１は、遊技制御手段８６からの指令に応答して、放音装置１２を放音駆動し、演出用照明装置８，１１を発光駆動し、遊技者の聴覚や視覚に訴える演出を行う。また、演出制御手段９１は、遊技制御手段８６からの指令に応答して、駆動モータ７７に駆動信号を送信し該モータ７７を作動させて可動役物３３を回動動作させると共に、該可動役物３３に実装した発光素子を発光駆動し、遊技者の視覚に訴える演出を行う。そして、演出制御手段９１は、可動役物３３が第１位置にある旨の信号、又は第２位置にある旨の信号をフォトインタラプタ７９から受信することで可動役物３３の回動位置を検出しつつ、該可動役物３３を回動制御する。
【００７１】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、第１及び第２抽選手段８３，８４それぞれによる各抽選結果を、画像表示装置３５の画面３５ａに時系列的に表示する。更に、表示制御手段９２は、演出制御手段９１が駆動モータ７７を駆動して可動役物３３を第１位置に切り換えた際、該切換えにタイミングを合わせて、画面３５ａにおける可動役物３３の下縁部７３で遮蔽された領域への表示を停止する。
【００７２】
また、始動チャッカー開閉ソレノイド７０は、作動制御手段８８から送信された駆動信号に応答してプランジャ（図示せず）を進退動作させて、第２始動チャッカー２８を開閉動作させる。アタッカー開閉ソレノイド７１は、作動制御手段８８から送信された駆動信号に応答してプランジャ（図示せず）を進退動作させて、アタッカー５を開閉動作させる。
【００７３】
放音装置１２は、演出制御手段９１の制御に従ってスピーカー（図示せず）を駆動させ、演出に応じた効果音を発する。演出用照明装置８，１１は、演出制御手段９１の制御に従ってその内蔵する電飾ランプ（図示せず）を発光駆動（点灯、点滅）させ、演出に応じた照明を行う。画像表示装置３５は、表示制御手段９２の制御に従って作動し、演出データや第１、第２抽選手段８３，８４での抽選結果に応じた演出表示を行う。
【００７４】
次に、本パチンコ機１による作用について、図１４のフローチャートを併せて参照しつつ説明する。
【００７５】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、第１、第２始動チャッカー２７，２８や一般入賞口２５ａ，２５ｂ，２６ａ，２６ｂに適時入賞し、或いは、これらに関与せずに転動落下して、遊技領域３ａ最下部のアウト口（図示せず）から遊技盤３背面側に排出される。
【００７６】
遊技領域３ａに打ち出された遊技球の一部がワープ導入口３７ａ又はワープ導入口３７ｂに入球すると、その遊技球は、遊技球案内路３９又は遊技球案内路４４に進入し、放出口３９ａ又は放出口４４ａからステージＳに向けて放出される。
【００７７】
この際、例えば放出口３９ａから放出された遊技球は、案内部５５ａ、傾斜部５７ａ，５７ｂを通過して案内部５５ｂ側に転動し、案内部５５ｂの右端部で反転して該案内部５５ｂの傾斜に沿ってステージＳの中央側に折り返す。この時点で、通常は、傾斜部５７ａ側に一旦通過するが案内部５５ａを上昇するだけの勢いはなくなっており、傾斜部５７ｃ側に戻ろうとし、その際、傾斜部５７ｂを傾斜部５７ｃ側に通過しきれないときは該傾斜部５７ｂの傾斜に沿って落下案内孔５０ａに落下し、球放出部４９から放出されることになる。なお、ワープ導入口３７ｂから導入されて放出口４４ａから放出される遊技球の動きは、これらと略々逆になる。
【００７８】
そして、球放出部４９から放出された遊技球は、高い入賞確率（略１００％）で第１始動チャッカー２７に入賞する。当該遊技球は、殆どの場合、第１始動チャッカー２７に入賞することになるが、障害釘３０への当接状況によっては入賞できないこともある。一方、傾斜部５７ｂから落下案内孔５０ａに導入されない遊技球は、傾斜部５７ａ，５７ｃからセンター飾り２３下方に放出されて、第１始動チャッカー２７とは異なる方向に落下するが、場合によっては、障害釘３０の左右に打ち込まれた所謂ジャンプ釘（図示せず）や、このジャンプ釘から左右方向に配列された道釘（図示せず）で弾き返されることで、障害釘３０に絡んでその間を落下して第１始動チャッカー２７に入賞することもある。
【００７９】
ところで、第１及び第２始動チャッカー２７，２８や一般入賞口２５ａ，２５ｂ，２６ａ，２６ｂの何れかに遊技球が入賞した場合には、入賞判定手段８１が当該入賞を判定し、且つ入賞信号出力手段８２が入賞信号を出力する（ステップＳ２）。
【００８０】
そして、大当たり抽選で当選した場合（ステップＳ３）、第１、第２抽選手段８３，８４のうち該当する側が当たりフラグをオンすると、演出用メモリに格納された演出乱数値に基づく抽選で、大当たりの種別、つまり確変当たり又は通常当たりに対応する変動パターンが決定される。
【００８１】
これにより、ステップＳ４において、画像表示装置３５に表示されるべき当たり図柄がセットされ、第１抽選手段８３又は第２抽選手段８４は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、第１抽選手段８３又は第２抽選手段８４は、その旨の変動パターン信号を出力すると共に、図柄変動禁止フラグをオンし、図柄変動タイマをセットし、変動パターン信号の送信に応じて保留球数を１デクリメントする。
【００８２】
以上のようにして、遊技制御手段８６が、画像表示装置３５の画面３５ａに表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示することとなる（ステップＳ５）。
【００８３】
このような演出表示中、例えば、可動役物３３が図４に示す第２位置（待機状態）にあり、激熱のスーパーリーチを奏するなどのため遊技制御手段８６から演出制御手段９１及び表示制御手段９２に指令が送られていた場合には、演出制御手段９１が駆動モータ７７を駆動して可動役物３３を第１位置に切り換え、これにタイミングを合わせて、表示制御手段９２が、画面３５ａにおける可動役物３３の下縁部７３で遮蔽された領域への表示を停止するように制御する。このように上部を遮蔽された画面３５ａ上で激熱のスーパーリーチが奏されると共に、例えば駆動モータ７７の小刻みな反転作動で可動役物３３が第１位置にて振動動作される場合、遊技者は、このスーパーリーチで大当たりが発生するかもしれないという大きな期待感を持ち、演出に釘付けになる。
【００８４】
そして、画像表示装置３５の画面３５ａ上に表れた抽選結果が大当たり決定である場合、作動制御手段８８は、作動決定手段９０の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００８５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８６】
【図１】本発明の実施形態におけるパチンコ機の外部構造を示す正面図である。
【図２】センター飾りを右斜め上方から見下ろす状態で示す斜視図である。
【図３】センター飾りを左斜め上方から見下ろす状態で示す斜視図である。
【図４】センター飾りの待機状態を示す正面図である。
【図５】センター飾りの演出状態を示す正面図である。
【図６】センター飾りから取り外した可動役物の待機面を示す正面図である。
【図７】センター飾りから取り外した可動役物の演出面を示す正面図である。
【図８】演出面を成す装飾部材を取り外した状態で示す可動役物の斜視図である。
【図９】図８の可動役物を逆の方向から見た状態で示す斜視図である。
【図１０】可動役物全体の状態を概念的に表した模式図である。
【図１１】センター飾りの全体を示す側面図である。
【図１２】本実施形態のパチンコ機の背面構造を示す背面図である。
【図１３】本パチンコ機の制御系を示すブロック図である。
【図１４】本パチンコ機による作用を説明するためのフローチャートである。
【符号の説明】
【００８７】
１    遊技機（パチンコ機）
３ａ    遊技領域
２３    センター役物（センター飾り）
３３    可動役物
３３ａ    装飾部材
３５    画像表示装置
３５ａ    画面
３６    開口部
７７    駆動手段（駆動モータ）
９３    長尺支持部材
９３ａ，９３ｂ    アーム部（突出アーム部）
９３ｅ    張出し部
９６，９８    回動中心（回転軸）
１０５    基板（照明基板）
Ｔ    先端部
Ｗ    重り部
【図１】
2008200217.tif 000003
【図２】
2008200217.tif 000004
【図３】
2008200217.tif 000005
【図４】
2008200217.tif 000006
【図５】
2008200217.tif 000007
【図６】
2008200217.tif 000008
【図７】
2008200217.tif 000009
【図８】
2008200217.tif 000010
【図９】
2008200217.tif 000011
【図１０】
2008200217.tif 000012
【図１１】
2008200217.tif 000013
【図１２】
2008200217.tif 000014
【図１３】
2008200217.tif 000015
【図１４】
2008200217.tif 000016